(57)【要約】【課題】医療従事者が把握する必要のある情報を効率的に管理する。【解決手段】情報管理装置１は、患者に関する情報を管理するための情報管理装置３であって、患者が利用する患者端末２から送信された、疾病を含む患者情報を、患者を一意に識別するための患者識別情報に対応付けて記憶する患者情報記憶部３４と、患者情報記憶部に記憶されている患者情報に含まれる疾病に対応する疾病指標を含む患者記録情報を受信する管理通信部３１と、管理通信部３１によって受信された患者記録情報を記憶する患者情報記憶部３４と、を備える。【選択図】図２
2020144684.tif 000002
【特許請求の範囲】
【請求項１】
患者に関する情報を管理するための情報管理装置であって、
前記患者が利用する患者端末から送信された、疾病を含む患者情報を、前記患者を一意に識別するための患者識別情報に対応付けて記憶する患者情報記憶部と、
前記患者情報記憶部に記憶されている前記患者情報に含まれる前記疾病に対応する疾病指標を含む患者記録情報を受信する管理通信部と、
前記管理通信部によって受信された前記患者記録情報を記憶する患者情報記憶部と、
を備えることを特徴とする情報管理装置。
【請求項２】
前記疾病と、該疾病に対応する前記疾病指標とを対応付けて記憶する疾病指標記憶部をさらに備えることを特徴とする請求項１に記載の情報管理装置。
【請求項３】
前記患者情報は、前記患者が医療行為を受ける医療機関を識別するための医療機関識別情報をさらに含み、
前記患者端末に入力され、該患者端末から送信された前記患者記録情報を前記患者の前記患者識別情報に対応付けて記憶する患者記録情報記憶部と、
前記管理通信部が、前記医療機関の医療機関端末から送信された前記患者識別情報を含む検索要求を受信すると、前記患者識別情報にそれぞれ対応付けられている前記患者情報及び前記患者記録情報の少なくとも一方を抽出する抽出部と、をさらに備え、
前記管理通信部は、前記患者情報及び前記患者記録情報の少なくとも一方を前記医療機関端末に送信することを特徴とする請求項１又は２に記載の情報管理装置。
【請求項４】
前記医療機関識別情報に対応付けて前記医療機関が医療行為を提供する対象となる疾患領域を記憶する医療機関情報記憶部をさらに備え、
前記抽出部は、前記医療機関情報記憶部にて前記検索要求に含まれる前記医療機関識別情報に対応付けて記憶されている前記疾患領域に対応する疾患を含む前記患者記録情報を抽出することを特徴とする請求項３に記載の情報管理装置。
【請求項５】
前記患者情報及び前記患者記録情報の少なくとも一方を分析する分析部をさらに備えることを特徴とする請求項３又は４に記載の情報管理装置。
【請求項６】
情報管理装置及び患者端末が互いに通信する、患者に関する情報を管理するための情報管理システムであって、
前記情報管理装置は
前記患者が利用する患者端末から送信された、疾病を含む患者情報を、前記患者を一意に識別するための患者識別情報に対応付けて記憶する患者情報記憶部と、
前記患者情報記憶部に記憶されている前記患者情報に含まれる前記疾病に対応する疾病指標を含む患者記録情報を受信する管理通信部と、
前記管理通信部によって受信された前記患者記録情報を記憶する患者情報記憶部と、を備え、
前記患者端末は、
前記患者情報に含まれる前記疾病に対応する疾病指標を含む前記患者記録情報を前記情報管理装置に送信する患者端末通信部
を備えることを特徴とする情報管理システム。
【請求項７】
請求項１から５のいずれか一項に記載の情報管理装置としてコンピュータを機能させるためのプログラム。
【発明の詳細な説明】
【技術分野】
【０００１】
本発明は、患者に関する情報を管理する情報管理装置、情報管理システム、及びプログラムに関する。
【背景技術】
【０００２】
近年、医療及び健康への関心が高まっており、医療機関において医療行為に従事する医療従事者は、患者に関する情報に基づいて適切かつ迅速に治療、薬の処方、健康指導等の医療行為を提供することが求められている。さらに、製薬企業は、従来のような薬剤情報の提供に加え、ＩＣＴを活用して患者の日常における症状などの情報を医療従事者に伝えるための仕組みの提供も求められてきている。一方、医療及び健康を管理するための身体データは個人情報でもあり、第三者である製薬企業においては、製薬企業のプロモーション規定上の観点からも自由に閲覧できないようにする必要もある。
【０００３】
例えば、特許文献１には、栄養、運動、及び医学に関する情報を配信することによって、生活習慣病患者、その予備軍、小児、低栄養状態の高齢者、健常人等に対し、栄養管理、運動管理、簡単な介護ケア管理等を適正かつ継続的に自主管理させるための双方向健康管理システムが記載されている。特許文献２には、公開すべきデジタルコンテンツの種類をユーザの権限に応じて制御するヘルスケアネットワークシステムが開示されている。
【先行技術文献】
【非特許文献】
【０００４】
【特許文献１】特開２００２−２２２２６６公報
【特許文献２】特開２００２−４１６６６公報
【発明の概要】
【発明が解決しようとする課題】
【０００５】
しかしながら、医療従事者が把握する必要のある患者の情報は、患者の疾病によって異なる。医者は、例えば、患者の疾病が糖尿病である場合、血糖値の状態やインスリン注射の状況を把握する必要があり、患者の疾病が潰瘍性大腸炎である場合、該患者の便の状態を把握する必要がある。仮に、全ての患者が該患者の状態に関するあらゆる情報を入力しなければならない場合、その労力は膨大となる一方、医療従事者が必要となる情報は入力された情報のごく一部となり、非効率である。
【０００６】
上記のような問題点に鑑みてなされた本発明の目的は、サービス提供者でありながらも第三者である製薬企業が患者の身体データを閲覧できないようにしながらも、医療従事者が把握する必要のある情報を効率的に管理することができる情報管理装置、情報管理システム、及びプログラムを医療従事者と患者に対して提供できることにある。
【課題を解決するための手段】
【０００７】
上記課題を解決するため、本発明に係る情報管理装置は、患者に関する情報を管理するための情報管理装置であって、前記患者が利用する患者端末から送信された、疾病を含む患者情報を、前記患者を一意に識別するための患者識別情報に対応付けて記憶する患者情報記憶部と、前記患者情報記憶部に記憶されている前記患者情報に含まれる前記疾病に対応する疾病指標を含む患者記録情報を受信する管理通信部と、前記管理通信部によって受信された前記患者記録情報を記憶する患者情報記憶部と、を備えることを特徴とする。
【０００８】
また、上記課題を解決するため、本発明に係る情報管理システムは、情報管理装置及び患者端末が互いに通信する、患者に関する情報を管理するための情報管理システムであって、前記情報管理装置は前記患者が利用する患者端末から送信された、疾病を含む患者情報を、前記患者を一意に識別するための患者識別情報に対応付けて記憶する患者情報記憶部と、前記患者情報記憶部に記憶されている前記患者情報に含まれる前記疾病に対応する疾病指標を含む患者記録情報を受信する管理通信部と、前記管理通信部によって受信された前記患者記録情報を記憶する患者情報記憶部と、を備え、前記患者端末は、前記患者情報に含まれる前記疾病に対応する疾病指標を含む前記患者記録情報を前記情報管理装置に送信する患者端末送信部を備えることを特徴とする。
【０００９】
また、上記課題を解決するため、本発明に係るプログラムは、上記の情報管理装置としてコンピュータを機能させる。
【発明の効果】
【００１０】
本発明に係る情報管理装置、情報管理システム、及びプログラムによれば、医療従事者が把握する必要のある情報を効率的に管理することができる。
【図面の簡単な説明】
【００１１】
【図１】本発明の一実施形態に係る情報管理システムを利用したサービスの全体概要を示す概念図である。
【図２】本発明の一実施形態に係る情報管理システムの構成例を示す機能ブロック図である。
【図３】図１に示す患者端末表示部が表示する患者登録画面の例を示す図である。
【図４】図１に示す患者端末表示部が表示する医療機関登録画面の例を示す図である。
【図５】図１に示す患者端末表示部が表示する患者記録画面の例を示す図である。
【発明を実施するための形態】
【００１２】
以下、本発明を実施する形態について、図面を参照しながら説明する。
【００１３】
図１は、本発明の一実施形態に係る情報管理システム１を利用したサービスの全体概要を示す概念図である。本サービスにおいて、患者端末２には、患者情報管理機能を構成するための患者情報管理アプリケーションがインストールされる。患者情報管理アプリケーションは、例えば、製薬企業等の提供企業によって提供される。患者は、患者情報管理アプリケーションの利用規約に同意することによって患者情報管理アプリケーションの種々の機能を利用することができる。
【００１４】
また、患者は、患者情報管理アプリケーションを用いて本サービスの利用規約に同意することによって、患者情報及び患者記録情報を医療従事者に提供することに同意する。患者情報は、患者に関する情報であり、患者記録情報は、経時的に変化する、患者の健康に関する情報である。患者が本サービスの利用規約に同意すると、患者端末２は、患者による操作に基づいて、患者情報及び患者記録情報を受け付け、情報管理装置３に送信する。情報管理装置３は、患者端末２から患者情報及び患者記録情報を受信すると、該患者情報及び該患者記録情報を記憶する。
【００１５】
また、医療従事者が、情報管理装置３を介して本サービスの利用規約に同意すると、情報管理装置３は、医療機関端末５からの要求に応じて、患者情報及び患者記録情報を医療機関端末５に送信する。
【００１６】
図２は、本発明の一実施形態に係る情報管理システム１の構成例を示す機能ブロック図である。図２に示すように、情報管理システム１は、患者端末２と、情報管理装置３と、医療機関端末５とを備える。情報管理装置３は、患者端末２及び医療機関端末５と通信する。
【００１７】
＜＜患者端末の構成＞＞
患者端末２は、患者が所持する端末であって、患者によって操作される。患者端末２は、例えば、スマートフォン等である。患者端末２は、該患者端末２が実行する種々の機能の１つとしての患者情報管理機能を実行するための患者情報管理アプリケーションを有する。患者情報管理アプリケーションは、患者が、医療機関等から提供された患者情報管理アプリケーション紹介資材を参照して患者端末２に所定の操作を行うことによってダウンロードされる。患者端末２が備えるプロセッサは、患者情報管理プログラムに従ってディスプレイ、メモリ、通信インターフェース等を制御することにより各種の処理を実行することができる。これにより患者端末２は、患者端末入力部２１と、患者端末通信部２２と、患者端末表示部２３と、患者端末記憶部２４とを備える。
【００１８】
患者端末入力部２１は、患者の操作によって入力された各種情報を受け付ける。
【００１９】
患者端末通信部２２は、患者端末入力部２１によって受け付けられた各種情報を情報管理装置３に送信する。また、患者端末通信部２２は、情報管理装置３から送信された各種情報を受信する。
【００２０】
患者端末表示部２３は、患者端末入力部２１によって受け付けられた各種情報、患者端末記憶部２４に記憶されている各種情報、患者に入力させるための入力欄等をディスプレイに表示する。
【００２１】
患者端末記憶部２４は、患者端末入力部２１によって受け付けた各種情報を記憶する。
【００２２】
以降において、患者端末２が実行する機能を詳細に説明する。
【００２３】
＜患者情報管理アプリケーションの利用規約への同意＞
患者端末入力部２１が初回に操作を受け付けたとき、患者端末表示部２３は、患者情報管理アプリケーションの利用規約を表示するとともに、患者が該利用規約に同意する意思を示す操作をさせるための情報を表示する。同意する意思を示す操作をさせるための情報とは、例えば、「同意する」と標記された同意ボタンと、利用規約に同意する場合には該同意ボタンを押すことを促す情報である。患者端末２は、例えば、患者による同意ボタンのクリックを受け付けることによって、患者端末入力部２１が、利用規約に同意する意思を示すための操作を受け付けると、以降で説明する処理を実行する。
【００２４】
＜初期設定＞
患者端末入力部２１が、利用規約に同意する意思を示すための操作を受け付けると、患者端末表示部２３は、患者情報を入力させるための入力画面を表示する。患者情報は、上述したように患者に関する情報であり、性別、生年月日、疾病、発病時期を含む。入力画面は、入力オブジェクト（入力欄、登録ボタン等）がある。
【００２５】
図３は、図１に示す患者端末表示部２３が表示する初期設定画面の例を示す図である。図３に示すように、患者端末表示部２３は、性別、生年月日、疾病、発病時期をそれぞれ入力させるための入力欄をディスプレイに表示する。また、患者端末表示部２３は登録ボタンをディスプレイに表示する。患者端末入力部２１は、患者によって入力欄に入力された性別、生年月日、疾病、発病時期を受け付ける。また、患者端末入力部２１は、患者による登録ボタンへの入力操作を受け付ける。患者端末記憶部２４は、患者端末入力部２１が登録ボタンへの入力操作を受け付けると、入力欄に入力された性別、生年月日、疾病、発病時期を記憶する。
【００２６】
＜医療機関登録＞
また、医療機関を登録して医療従事者に登録した情報を共有したい患者の操作に基づき、患者端末２は、以下に詳細に説明するように、情報管理装置３の運営会社の利用規約に同意し、情報管理装置３の運営会社のサービスに会員登録をし、患者の操作により選択された医療機関を、個人情報である患者名に対応付けて登録する。
【００２７】
まず、患者端末表示部２３は、利用規約および該利用規約への同意ボタンを表示する。患者端末表示部２３は、利用規約ではなく、利用規約を表示させるためのオブジェクト（例えば、利用規約へのリンク、利用規約表示ボタン）を表示させてもよい。このような構成において、患者端末入力部２１が、患者によって利用規約を表示させるためのオブジェクトへの入力操作を受け付けると、患者端末表示部２３は、利用規約を表示させる。
【００２８】
図４は、図１に示す患者端末表示部２３が表示する医療機関登録画面の例を示す図である。患者端末表示部２３は、患者端末入力部２１が患者による同意ボタンへの操作入力を受け付けると、図４に示すように、患者のメールアドレス、パスワード、医療機関が存在する都道府県名、及び医療機関名をそれぞれ入力させるための入力欄をディスプレイに表示する。患者端末表示部２３は、例えば、都道府県名をドロップダウンリストに入力させるように入力欄を表示してもよい。また、患者端末表示部２３は登録ボタンをディスプレイに表示する。患者端末入力部２１は、患者によって入力欄に入力されたメールアドレス、パスワード、都道府県名、及び医療機関名を受け付ける。また、医療機関が、当該医療機関の医療機関識別情報を示すＱＲコード(登録商標)を発行して患者に提供してもよく、患者端末入力部２１は、ＱＲコードを読みこむことで、該当の医療機関識別情報を受け付けてもよい。
【００２９】
また、患者端末入力部２１は、患者による登録ボタンへの入力操作を受け付ける。患者端末記憶部２４は、患者端末入力部２１が登録ボタンへの入力操作を受け付けると、入力欄に入力されたメールアドレス、パスワード、都道府県名、及び医療機関名を記憶する。また、患者端末通信部２２は、患者端末入力部２１が登録ボタンへの入力操作を受け付けると、入力欄に入力されたメールアドレス、パスワード、都道府県名、及び医療機関名と、患者端末記憶部２４に記憶されている性別、生年月日、疾病、発病時期とを含む患者情報を患者識別情報とともに情報管理装置３に送信する。患者識別情報は、患者を一意に識別するための情報であり、初期登録において、情報管理装置３によって発行されて患者端末２に送信され、患者端末記憶部２４に記憶される。
【００３０】
＜健康記録の入力＞
図５は、図１に示す患者端末表示部２３が表示する患者記録画面の例を示す図である。患者端末表示部２３は、図５に示すような、患者記録情報を入力させるための患者記録画面を表示する。患者が、現在の日付（図５の例では、「２０１９年０１月１２日（土）」）、及び現在の時刻（図５の例では、「１０：００」）における患者記録情報を患者記録画面に入力すると、患者端末入力部２１が患者記録情報を受け付け、患者端末記憶部２４および患者記録情報記憶部３５それぞれが患者記録情報を記憶する。患者記録情報は、上述したように経時的に変化する、患者の健康に関する情報であり、記録日及び、疾病指標を含む。疾病指標は、患者情報管理アプリケーションの提供企業が提供するアプリケーションの対象疾患によって、疾病ごとに決定されている体調管理項目である。疾病指標は、後述する疾病指標記憶部３８において、アプリごとに疾病に対応付けて記憶されている。例えば、提供アプリの対象疾患が「糖尿病」の場合、疾病指標は、血糖値、血糖値の測定タイミング、インスリン投与量等を含む。なお、新たな、疾病と疾病指標との対応付けを含む疾病指標アプリ（疾病指標アプリケーション）は、患者情報管理アプリケーションの提供企業によって任意のタイミングで、情報管理装置３の疾病追加部３９を介して疾病指標記憶部３８に記憶される。疾病指標アプリは、情報管理装置３の疾病指標記憶部３８ではなく、情報管理装置３とは別の装置に記憶されてもよい。患者は、医療機関から、資材等を用いて疾病指標アプリを紹介されると、所定の操作により情報管理装置３から自身の疾病に関す疾病指標アプリを該疾病指標アプリが記憶されている情報管理装置３又は別の装置から患者端末２にダウンロードする。患者端末表示部２３は、疾病ストアがダウンロードされると、該疾病指標アプリに含まれる疾病と疾病指標との対応付けに基づいて、患者記録画面に上述した疾病指標と該疾病指標の入力欄を表示する。
【００３１】
また、患者端末表示部２３は、患者端末記憶部２４が記憶している患者記録情報を一覧で示すためのログブック画面を表示する。また、患者端末記憶部２４が記憶している患者記録情報をグラフ形式（折れ線グラフなど）で示すためのグラフ画面を表示する。また、患者端末表示部２３は、患者端末記憶部２４が記憶している患者記録情報をカレンダー形式で示すためのカレンダー画面を表示する。例えば、患者がカレンダー画面に表示されている日付を押下すると、患者端末表示部２３は、該日付に対応して患者端末記憶部２４が記憶している患者記録情報を表示することができる。
【００３２】
また、患者端末表示部２３は、患者記録画面、ログブック画面、グラフ画面、及びカレンダー画面それぞれの一部（図５の例では患者記録画面の下部）に、患者記録画面、ログブック画面、グラフ画面、及びカレンダー画面のいずれを表示させるか選択するためのアイコン等を含む画面選択欄を表示してもよい。
【００３３】
また、患者記録情報が入力されると、患者端末入力部２１は、入力された患者記録情報を受け付ける。患者端末入力部２１が患者記録情報を受け付けると、患者端末記憶部２４が患者記録情報を記憶し、患者端末通信部２２が患者記録情報を患者端末記憶部２４に記憶されている患者識別情報に対応付けて情報管理装置３に送信する。
【００３４】
＜メッセージの管理＞
患者端末入力部２１は、患者によって入力された、該患者が医療行為を受ける医療機関の医療従事者に宛てたメッセージを受け付ける。患者端末入力部２１がメッセージを受け付けると、患者端末通信部２２は、該メッセージを患者識別情報とともに情報管理装置３に送信する。また、患者端末通信部２２は、医療機関端末５から送信され、メッセージ記憶部４１に記憶されている、患者の患者識別情報に対応付けられているメッセージを情報管理装置３から受信する。患者端末通信部２２がメッセージを受信すると、患者端末表示部２３は、該メッセージをディスプレイに表示する。
【００３５】
＜＜情報管理装置の構成＞＞
情報管理装置３は、管理通信部３１と、認証部３２と、医療機関情報記憶部３３と、患者情報記憶部３４と、患者記録情報記憶部３５と、通院記録情報記憶部３６と、抽出部３７と、疾病指標記憶部３８と、疾病追加部３９と、分析部４０と、メッセージ記憶部４１とを備える。
【００３６】
管理通信部３１は、医療機関端末５及び患者端末２のそれぞれから送信された各種情報を受信する。管理通信部３１は、医療機関端末５及び患者端末２のそれぞれに各種情報を送信する。
【００３７】
認証部３２は、管理通信部３１が医療機関端末５から医療機関情報を含む申込み要求を受信すると、受信された医療機関情報を医療機関情報記憶部３３に記憶させ、医療機関端末５に医療機関識別情報及び初期パスワードを送信する。初期パスワードは、情報管理装置３が管理する各種情報を、医療従事者に表示させたり入力させたりすることを許可するか否かを判定するためのパスワードの初期値である。
【００３８】
認証部３２は、医療機関端末５から医療機関識別情報及び初期パスワードを受信すると、情報管理システム１の利用規約と、利用規約への医療従事者による同意を入力させる同意入力欄とを含む利用規約画面を生成する。認証部３２は、管理通信部３１が利用規約画面を医療機関端末５に送信するよう制御する。さらに、認証部３２は、医療従事者による同意が入力されたことを示す同意情報を受信すると、初期パスワードを変更させるためのパスワード変更画面を生成する。認証部３２は、管理通信部３１がパスワード変更画面を医療機関端末５に送信するよう制御する。そして、認証部３２は、管理通信部３１が医療機関端末５からパスワード変更画面に入力された新しいパスワードを受信すると、新しいパスワードを医療機関識別情報に対応付けて医療機関情報記憶部３３に記憶させる。
【００３９】
医療機関情報記憶部３３は、医療機関に関する情報である医療機関情報を記憶する。医療機関情報は、医療機関識別情報、医療機関名、パスワード、及び疾患領域を含む。医療機関識別情報は、医療機関を一意に識別するための情報である。医療機関名は、医療機関の名称である。パスワードは、情報管理装置３が管理する各種情報を医療従事者に表示させたり、入力させたりすることを許可するか否かを認証部３２が判定するための情報である。パスワードは、暗号化されて記憶されてもよい。疾患領域は、医療機関が医療行為を提供する対象となる疾患の領域である。医療機関情報は、医療機関の住所、連絡先等をさらに含んでもよい。
【００４０】
患者情報記憶部３４は、患者端末２から送信された患者情報を患者識別情報に対応付けて記憶する。
【００４１】
患者記録情報記憶部３５は、患者端末２から送信された患者記録情報を患者識別情報に対応付けて記憶する。
【００４２】
通院記録情報記憶部３６は、患者端末２から送信された通院記録情報を患者識別情報に対応付けて記憶する。
【００４３】
抽出部３７は、管理通信部３１が、医療機関端末５から送信された患者識別情報を含む検索要求を受信すると、患者識別情報にそれぞれ対応付けられている患者情報及び患者記録情報の少なくとも一方を抽出する。
【００４４】
疾病指標記憶部３８は、情報管理装置３の管理者によって入力された疾病と疾病指標とを対応付けて記憶する。例えば、上述したように、疾病が「糖尿病」である場合、血糖値、血糖値の測定タイミング、インスリン投与量等を含んでもよい。なお、疾病指標記憶部３８は、「糖尿病」に限らず、任意の疾病と該疾病の疾病指標とを記憶することができる。
【００４５】
疾病追加部３９は、情報管理装置３の管理者によって新たに入力された疾病と疾病指標とを対応付けて疾病指標記憶部３８に追加で記憶させる。
【００４６】
分析部４０は、患者情報記憶部３４及び患者記録情報記憶部３５にそれぞれ記憶されている患者情報及び患者記録情報をそれぞれ、あるいは合わせて分析する。例えば、分析部４０は、所定の疾患に関する医療機関ごとの患者数又はその推移を分析することができる。また、分析部４０は、所定の疾患に関する年齢層別の患者数又はその推移を分析することができる。分析部４０は、分析の結果を出力することができる。
【００４７】
メッセージ記憶部４１は、管理通信部３１が、患者端末２から患者識別情報及びメッセージを受信すると、患者識別情報に対応付けてメッセージを記憶する。また、メッセージ記憶部１４は、管理通信部３１が医療機関端末５から患者識別情報及びメッセージを受信すると、患者識別情報に対応付けてメッセージを記憶する。メッセージ記憶部４１に記憶されているメッセージは、該メッセージに対応付けて記憶されている患者識別情報が示す患者の患者端末２、及び該患者に対応付けて患者情報記憶部３４に対応付けて記憶されている医療機関の医療機関端末５からの要求に応じて、管理通信部３１によって患者端末２及び医療機関端末５に送信される。
【００４８】
＜＜医療機関端末の構成＞＞
医療機関端末５は、１つ以上の医療機関それぞれに設置され、医療機関に従事する医療従事者によって操作される。医療機関端末５は、医療機関入力部５１と、医療機関通信部５２と、医療機関表示部５３とを備える。
【００４９】
医療機関入力部５１は、医療従事者の操作によって入力された各種情報を受け付ける。
【００５０】
医療機関通信部５２は、医療機関入力部５１によって受け付けた各種情報を情報管理装置３に送信する。また、医療機関通信部５２は、情報管理装置３から送信された各種情報を受信する。
【００５１】
医療機関表示部５３は、医療機関入力部５１によって受け付けた各種情報をディスプレイに表示する。
【００５２】
以降において、医療機関端末５が実行する機能を詳細に説明する。
【００５３】
＜初期登録＞
医療機関入力部５１は、医療従事者が、患者情報管理アプリケーションを提供した製薬企業等からの利用案内資材を参考にして所定の操作を行うことによって入力された申込み要求を受け付ける。医療機関入力部５１が申込み要求を受け付けると、医療機関通信部５２は、該申込み要求を情報管理装置３に送信する。また、医療機関通信部５２は、申込み要求を受信した情報管理装置３から送信された医療機関識別情報及び初期パスワードを受信する。医療機関表示部５３は、医療機関識別情報及び初期パスワードをディスプレイに表示する。
【００５４】
医療機関入力部５１は、医療従事者の操作によって入力された医療機関識別情報及び初期パスワードを受け付ける。医療機関通信部５２は、医療機関入力部５１によって受け付けられた医療機関識別情報及び初期パスワードを情報管理装置３に送信する。医療機関通信部５２は、情報管理装置３から送信された利用規約画面を受信する。医療機関表示部５３は、利用規約画面をディスプレイに表示する。
【００５５】
医療機関入力部５１は、医療従事者の操作によって利用規約画面に含まれる同意入力欄への入力を受け付ける。医療機関入力部５１が同意入力欄への入力を受け付けると、医療機関通信部５２は、同意情報を情報管理装置３に送信する。医療機関通信部５２は、同意情報を受信した情報管理装置３から送信されたパスワード変更画面を受信する。
【００５６】
医療機関入力部５１は、医療従事者の操作によって入力された新しいパスワードを受け付ける。医療機関通信部５２は、医療機関入力部５１によって受け付けられた新しいパスワードを情報管理装置３に送信する。
【００５７】
＜認証＞
医療機関入力部５１は、医療従事者の操作によって入力された医療機関識別情報及び新しいパスワードを受け付ける。医療機関通信部５２は、医療機関入力部５１によって受け付けられた患者識別情報を情報管理装置３に送信する。上述したように情報管理装置３の認証部３２は、医療機関識別情報及び新しいパスワードに基づいて認証を行う。認証部３２の認証によって、医療従事者の正当性が認められると、医療機関端末５における以降の処理が許可される。
【００５８】
＜疾患領域の登録＞
医療機関入力部５１は、医療従事者の操作によって入力された疾患領域を受け付ける。医療機関入力部５１が疾患領域を受け付けると、医療機関通信部５２は、疾患領域と、既に医療従事者によって入力された医療機関識別情報とを情報管理装置３に送信する。情報管理装置３において、管理通信部３１が疾患領域と医療機関識別情報とを受信すると、医療機関情報記憶部３３は、医療機関識別情報に対応付けて疾患領域を記憶する。
【００５９】
＜患者情報及び患者記録情報の表示＞
医療機関入力部５１は、医療従事者の操作によって入力された患者識別情報を受け付ける。医療機関通信部５２は、医療機関入力部５１によって受け付けられた患者識別情報を含む検索要求を情報管理装置３に送信する。上述したように情報管理装置３の抽出部３７は、検索要求に含まれる患者識別情報に対応する患者情報及び患者記録情報をそれぞれ患者情報記憶部３４及び患者記録情報記憶部３５から抽出して、管理通信部３１が抽出された患者情報及び患者記録情報を医療機関端末５に送信する。そして、医療機関通信部５２は、管理通信部３１から送信された患者情報及び患者記録情報を受信する。医療機関表示部５３は、患者情報及び患者記録情報をディスプレイに表示する。医療機関表示部５３は、患者端末表示部２３と同じ患者記録情報を表示するとともに、該患者記録情報に関する患者の患者情報を表示してもよい。
【００６０】
具体的には、医療機関表示部５３は、患者記録情報記憶部３５が記憶している患者記録情報を一覧で示すためのログブック画面を表示する。また、医療機関表示部５３は、患者端末記憶部２４が記憶している患者記録情報をグラフ形式（折れ線グラフなど）で示すためのグラフ画面を表示する。また、医療機関表示部５３は、患者記録情報記憶部３５が記憶している患者記録情報をカレンダー形式で示すためのカレンダー画面を表示する。例えば、医療従事者がカレンダー画面に表示されている日付を押下すると、医療機関表示部５３は、該日付に対応して患者記録情報記憶部３５が記憶している患者記録情報を表示することができる。なお、医療機関表示部５３が表示するログブック画面、グラフ画面、及びカレンダー画面は、それぞれ患者端末表示部２３が表示する、ログブック画面、グラフ画面、及びカレンダー画面と同じであってもよい。また、医療機関表示部５３は、ログブック画面、グラフ画面、及びカレンダー画面それぞれの一部に、ログブック画面、グラフ画面、及びカレンダー画面のいずれを表示させるか選択するためのアイコン等を含む画面選択欄を表示してもよい。
【００６１】
また、医療機関入力部５１は、患者記録情報に含まれる各種情報から、医療従事者が参照したい情報を絞り込んで表示させるための絞り込み情報の入力を受け付けてもよい。この場合、医療機関通信部５２は、絞り込み情報と患者識別情報とを含む検索要求を情報管理装置３に送信する。そして、情報管理装置３の抽出部３７は、検索要求に含まれる患者識別情報に対応する患者記録情報のうち絞り込み情報に対応する情報を抽出し、管理通信部３１が該情報を送信する。そして、医療機関通信部５２は、該情報を受信して、医療機関表示部５３が該情報を表示する。
【００６２】
医療機関入力部５１は、医療従事者による患者一覧を表示させるための操作を受け付けてもよい。このような構成において、医療機関通信部５２は、患者一覧を表示させるための検索要求を医療機関識別情報とともに情報管理装置３に送信する。情報管理装置３の管理通信部３１が検索要求及び医療機関識別情報を受信すると、抽出部３７は、医療機関識別情報で識別される医療機関が含まれる患者情報を抽出する。そして、管理通信部３１は、抽出された患者情報を医療機関端末５に送信する。医療機関通信部５２は患者情報を受信して、医療機関表示部５３がディスプレイに表示する。
【００６３】
また、情報管理装置３の管理通信部３１が検索要求及び医療機関識別情報を受信すると、抽出部３７は、医療機関情報記憶部３３にて医療機関識別情報に対応付けて記憶されている疾患領域に対応する疾患が含まれる患者記録情報を抽出してもよい。このような構成において、初期登録において疾患領域を入力していない医療機関は、患者の疾病に対応する疾病指標を含む患者記録情報を参照することができない。すなわち、医療機関は、上述した初期登録において入力した疾病領域に対応するサービスに応じた情報を参照することができることになる。
【００６４】
＜メッセージの管理＞
医療機関入力部５１は、医療従事者によって入力された、該医療従事者が医療行為を提供する患者に宛てたメッセージを受け付ける。患者端末入力部２１がメッセージを受け付けると、患者端末通信部２２は、該メッセージを宛先となる患者の患者識別情報とともに情報管理装置３に送信する。また、医療機関通信部５２は、患者端末２から送信され、情報管理装置３のメッセージ記憶部４１に記憶されている、患者からからのメッセージを受信する。医療機関通信部５２がメッセージを受信すると、医療機関表示部５３は、該メッセージをディスプレイに表示する。
【００６５】
以上説明したように、本実施形態によれば、情報管理装置３は、患者情報記憶部３４に記憶されている患者情報に含まれる疾病に対応する疾病指標を含む患者記録情報を受信し、受信された患者記録情報を記憶する。そのため、患者は、入力支援情報に基づいて、医療従事者が必要とする情報を入力することができる。これにより、患者が入力に要する労力は低減され、医療従事者は必要とする情報を把握することができる。したがって、情報管理装置３は、効率的に情報を管理することが可能となる。
【００６６】
また、本実施形態によれば、情報管理装置３は、疾病指標記憶部３８に、疾病と、該疾病に対応する疾病指標との対応付けを追加して記憶させるための疾病追加部３９をさらに備える。そのため、情報管理装置３の管理者は、医療機関のニーズに伴い、管理の対象とする疾病の種類が増加したときに、簡易に疾病と、該疾病に対応する疾病指標との対応付けを追加することができる。これにより、情報管理装置３の管理者は医療機関が所望するサービスを迅速に提供することが可能となる。
【００６７】
また、本実施形態によれば、患者情報は、患者が医療行為を受ける医療機関をさらに、含み、管理通信部３１は、患者識別情報と、患者情報と、患者記録情報とを、患者情報に含まれる医療機関の医療機関端末５に送信する。そのため、医療従事者は、医療行為を提供する患者に関する患者識別情報と、患者情報と、患者記録情報とを参照することになる。すなわち、医療従事者は、医療行為を提供しない患者に関する情報を参照することができない。したがって、患者は、該患者に関する情報を、医療行為を提供する医療機関以外の医療機関に対して開示する必要がなく、これにより患者に関する情報の機密性が保たれる。
【００６８】
実施形態では特に触れていないが、患者端末２及び情報管理装置３としてそれぞれ機能するコンピュータが行う各処理を実行するためのプログラムが提供されてもよい。また、プログラムは、コンピュータ読取り可能媒体に記録されていてもよい。コンピュータ読取り可能媒体をいれば、コンピュータにインストールすることが可能である。ここで、プログラムが記録されたコンピュータ読取り可能媒体は、非一過性の記録媒体であってもよい。非一過性の記録媒体は、特に限定されるものではないが、例えば、ＣＤ−ＲＯＭあるいはＤＶＤ−ＲＯＭなどの記録媒体であってもよい。
【００６９】
また、本実施形態において、患者端末記憶部２４は、患者情報及び患者記録情報を記憶するとしたが、この限りではない。例えば、患者端末記憶部２４は、患者情報及び患者記録情報を記憶しなくてもよい。このような構成において、患者端末通信部２２が患者識別情報とともに患者情報及び患者記録情報の要求を情報管理装置３に送信する。そして、患者端末通信部２２は、該要求に基づいて情報管理装置３が送信した患者情報及び患者記録情報を受信し、患者端末表示部２３がディスプレイに表示する。
【００７０】
また、本実施形態において、患者端末記憶部２４は、患者識別情報を記憶するとしたが、この限りではない。例えば、患者端末記憶部２４は、患者識別情報を記憶しなくてもよい。このような構成において、患者端末入力部２１は、患者によって入力された患者識別情報を受け付け、患者端末表示部２３は、入力された患者識別情報とともに、患者記録情報を情報管理装置３に送信する。
【００７１】
上述の実施形態は代表的な例として説明したが、本発明の趣旨及び範囲内で、多くの変更及び置換が可能であることは当業者に明らかである。したがって、本発明は、上述の実施形態によって制限するものと解するべきではなく、特許請求の範囲から逸脱することなく、種々の変形及び変更が可能である。例えば、実施形態の構成図に記載の複数の構成ブロックを１つに組み合わせたり、あるいは１つの構成ブロックを分割したりすることが可能である。
【符号の説明】
【００７２】
１    情報管理システム
２    患者端末
３    情報管理装置
５    医療機関端末
２１  患者端末入力部
２２  患者端末通信部
２３  患者端末表示部
２４  患者端末記憶部
３１  管理通信部
３２  認証部
３３  医療機関情報記憶部
３４  患者情報記憶部
３５  患者記録情報記憶部
３６  通院記録情報記憶部
３７  抽出部
３８  疾病指標記憶部
３９  疾病追加部
４０  分析部
４１  メッセージ記憶部
５１  医療機関入力部
５２  医療機関通信部
５３  医療機関表示部
【図１】
2020144684.tif 000003
【図２】
2020144684.tif 000004
【図３】
2020144684.tif 000005
【図４】
2020144684.tif 000006
【図５】
2020144684.tif 000007
【手続補正書】
【提出日】令和2年7月20日(2020.7.20)
【手続補正１】
【補正対象書類名】特許請求の範囲
【補正対象項目名】全文
【補正方法】変更
【補正の内容】
【特許請求の範囲】
【請求項１】
患者情報及び患者記録情報を管理するための情報管理装置であって、
前記患者情報は、患者の疾病及び前記患者が医療行為を受ける医療機関を識別するための医療機関識別情報を含み、
前記患者記録情報は、前記疾病に対応する疾病指標を含み、
前記患者が利用する患者端末から送信された前記患者情報及び前記患者記録情報を受信する管理通信部と、
前記患者情報を、前記患者を一意に識別するための患者識別情報に対応付けて記憶する患者情報記憶部と、
前記患者記録情報を前記患者識別情報に対応付けて記憶する患者記録情報記憶部と、
前記管理通信部が、前記医療機関の医療機関端末から送信された前記患者識別情報を含む検索要求を受信すると、前記患者識別情報にそれぞれ対応付けられている前記患者情報及び前記患者記録情報の少なくとも一方を抽出する抽出部と、を備え、
前記管理通信部は、前記患者情報及び前記患者記録情報の少なくとも一方を前記医療機関端末に送信し、
前記医療機関識別情報に対応付けて前記医療機関が医療行為を提供する対象となる疾患領域を記憶する医療機関情報記憶部をさらに備え、
前記抽出部は、前記医療機関情報記憶部にて前記検索要求に含まれる前記医療機関識別情報に対応付けて記憶されている前記疾患領域に対応する疾病指標を含む前記患者記録情報を抽出することを特徴とする情報管理装置。
【請求項２】
患者情報及び患者記録情報を管理するための情報管理装置であって、
前記患者情報は、患者の疾病及び前記患者が医療行為を受ける医療機関を識別するための医療機関識別情報を含み、
前記患者記録情報は、前記疾病に対応する疾病指標を含み、
前記患者が利用する患者端末から送信された前記患者情報及び前記患者記録情報を受信する管理通信部と、
前記患者情報を、前記患者を一意に識別するための患者識別情報に対応付けて記憶する患者情報記憶部と、
前記患者記録情報を前記患者識別情報に対応付けて記憶する患者記録情報記憶部と、
前記管理通信部が、前記医療機関の医療機関端末から送信された前記患者識別情報を含む検索要求を受信すると、前記患者識別情報にそれぞれ対応付けられている前記患者情報及び前記患者記録情報の少なくとも一方を抽出する抽出部と、を備え、
前記管理通信部は、前記患者情報及び前記患者記録情報の少なくとも一方を前記医療機関端末に送信し、
前記患者情報及び前記患者記録情報の少なくとも一方を分析する分析部をさらに備えることを特徴とする情報管理装置。
【請求項３】
前記疾病と、該疾病に対応する前記疾病指標とを対応付けて記憶する疾病指標記憶部をさらに備えることを特徴とする請求項１又は２に記載の情報管理装置。
【請求項４】
請求項１から３のいずれか一項に記載の情報管理装置と、該情報管理装置と通信する患者端末と、を備える情報管理システムであって、
前記患者端末は、
前記患者情報及び前記患者記録情報を前記情報管理装置に送信する患者端末通信部
を備えることを特徴とする情報管理システム。
【請求項５】
請求項１から３のいずれか一項に記載の情報管理装置としてコンピュータを機能させるためのプログラム。
【手続補正２】
【補正対象書類名】明細書
【補正対象項目名】０００７
【補正方法】変更
【補正の内容】
【０００７】
上記課題を解決するため、本発明に係る情報管理装置は、患者情報及び患者記録情報を管理するための情報管理装置であって、前記患者情報は、患者の疾病及び前記患者が医療行為を受ける医療機関を識別するための医療機関識別情報を含み、前記患者記録情報は、前記疾病に対応する疾病指標を含み、前記患者が利用する患者端末から送信された前記患者情報及び前記患者記録情報を受信する管理通信部と、前記患者情報を、前記患者を一意に識別するための患者識別情報に対応付けて記憶する患者情報記憶部と、前記患者記録情報を前記患者識別情報に対応付けて記憶する患者記録情報記憶部と、前記管理通信部が、前記医療機関の医療機関端末から送信された前記患者識別情報を含む検索要求を受信すると、前記患者識別情報にそれぞれ対応付けられている前記患者情報及び前記患者記録情報の少なくとも一方を抽出する抽出部と、を備え、前記管理通信部は、前記患者情報及び前記患者記録情報の少なくとも一方を前記医療機関端末に送信し、前記医療機関識別情報に対応付けて前記医療機関が医療行為を提供する対象となる疾患領域を記憶する医療機関情報記憶部をさらに備え、前記抽出部は、前記医療機関情報記憶部にて前記検索要求に含まれる前記医療機関識別情報に対応付けて記憶されている前記疾患領域に対応する疾病指標を含む前記患者記録情報を抽出することを特徴とする。
また、本発明に係る情報管理装置は、患者情報及び患者記録情報を管理するための情報管理装置であって、前記患者情報は、患者の疾病及び前記患者が医療行為を受ける医療機関を識別するための医療機関識別情報を含み、前記患者記録情報は、前記疾病に対応する疾病指標を含み、前記患者が利用する患者端末から送信された前記患者情報及び前記患者記録情報を受信する管理通信部と、前記患者情報を、前記患者を一意に識別するための患者識別情報に対応付けて記憶する患者情報記憶部と、前記患者記録情報を前記患者識別情報に対応付けて記憶する患者記録情報記憶部と、前記管理通信部が、前記医療機関の医療機関端末から送信された前記患者識別情報を含む検索要求を受信すると、前記患者識別情報にそれぞれ対応付けられている前記患者情報及び前記患者記録情報の少なくとも一方を抽出する抽出部と、を備え、前記管理通信部は、前記患者情報及び前記患者記録情報の少なくとも一方を前記医療機関端末に送信し、前記患者情報及び前記患者記録情報の少なくとも一方を分析する分析部をさらに備えることを特徴とする。
【手続補正３】
【補正対象書類名】明細書
【補正対象項目名】０００８
【補正方法】変更
【補正の内容】
【０００８】
また、上記課題を解決するため、本発明に係る情報管理システムは、上記情報管理装置と、該情報管理装置と通信する患者端末と、を備える情報管理システムであって、前記患者端末は、前記患者情報及び前記患者記録情報を前記情報管理装置に送信する患者端末送信部を備えることを特徴とする。
【手続補正４】
【補正対象書類名】明細書
【補正対象項目名】００６３
【補正方法】変更
【補正の内容】
【００６３】
また、情報管理装置３の管理通信部３１が検索要求及び医療機関識別情報を受信すると、抽出部３７は、医療機関情報記憶部３３にて医療機関識別情報に対応付けて記憶されている疾患領域に対応する疾病指標が含まれる患者記録情報を抽出してもよい。このような構成において、初期登録において疾患領域を入力していない医療機関は、患者の疾病に対応する疾病指標を含む患者記録情報を参照することができない。すなわち、医療機関は、上述した初期登録において入力した疾患領域に対応するサービスに応じた情報を参照することができることになる。